(57)【要約】【課題】パイロット信号に基づき同期を確立するときに、無駄な電力が消費された。【解決手段】符号拡散により重畳された、同期を確立するための第１の信号、及び、信号レベルが第１の信号より小さい第２の信号を受信する無線受信装置であって、第１の信号をＡ／Ｄ変換するときの第１の分解能、及び、第２の信号をＡ／Ｄ変換するときの、第１の分解能より大きい第２の分解能を切換可能であり、当該第２の分解能でＡ／Ｄ変換を行うときの消費電力が第１の分解能でＡ／Ｄ変換を行うときの消費電力より大きいＡ／Ｄコンバータと、第１の信号に基づき同期を確立する前には、Ａ／Ｄコンバータに第１の分解能でＡ／Ｄ変換を行わせ、第１の信号に基づき同期を確立した後であって第２の信号から情報を取り出すことを開始した後には、Ａ／Ｄコンバータに第２の分解能でＡ／Ｄ変換を行わせる制御回路と、を含む。【選択図】図１
2008177639.tif 000002
【特許請求の範囲】
【請求項１】
符号拡散により重畳された、受信のための同期を確立するために用いる第１の信号、及び、受信すべき情報を含む第２の信号であって受信したときの信号レベルが前記第１の信号より小さい前記第２の信号を受信する無線受信装置であって、
前記第１の信号をＡ／Ｄ変換するときの第１の分解能、及び、前記第２の信号をＡ／Ｄ変換するときの、前記第１の分解能より分解能が大きい第２の分解能を切換可能なＡ／Ｄコンバータであって、当該第２の分解能でＡ／Ｄ変換を行うときの消費電力が前記第１の分解能でＡ／Ｄ変換を行うときの消費電力より大きい前記Ａ／Ｄコンバータと、
前記第１の信号に基づき前記同期を確立する前には、前記Ａ／Ｄコンバータに前記第１の分解能でＡ／Ｄ変換を行わせ、前記第１の信号に基づき前記同期を確立した後であって前記第２の信号から前記情報を取り出すことを開始した後には、前記Ａ／Ｄコンバータに前記第２の分解能でＡ／Ｄ変換を行わせる制御回路と、を含むことを特徴とする無線受信装置。
【請求項２】
前記Ａ／Ｄコンバータは、協働して前記Ａ／Ｄ変換を行うための並列接続された複数のオペアンプを有し、
前記制御回路は、前記Ａ／Ｄコンバータに前記第１の分解能でＡ／Ｄ変換を行わせることを、前記複数のオペアンプのうちの１つ以上のオペアンプを動作させないことにより実施することを特徴とする請求項１記載の無線受信装置。
【請求項３】
前記Ａ／Ｄコンバータは、協働して前記Ａ／Ｄ変換を行うための並列接続された複数のオペアンプと、前記複数のオペアンプからの出力を符号化するエンコーダとを有し、
前記制御回路は、前記Ａ／Ｄコンバータに前記第１の分解能でＡ／Ｄ変換を行わせることを、前記複数のオペアンプのうちの１つ以上のオペアンプに供給する電流を低減し、かつ、前記エンコーダに当該１つ以上のオペアンプからの出力を無視させることにより実施することを特徴とする請求項１記載の無線受信装置。
【請求項４】
符号拡散により重畳された、受信のための同期を確立するために用いる第１の信号、及び、受信すべき情報を含む第２の信号であって受信したときの信号レベルが前記第１の信号より小さい前記第２の信号を受信する無線受信方法であって、
前記第１の信号をＡ／Ｄ変換するときの第１の分解能、及び、前記第２の信号をＡ／Ｄ変換するときの、前記第１の分解能より分解能が大きい第２の分解能を切換可能なＡ／Ｄ変換工程であって、当該第２の分解能でＡ／Ｄ変換を行うときの消費電力が前記第１の分解能でＡ／Ｄ変換を行うときの消費電力より大きい前記Ａ／Ｄ変換工程と、
前記第１の信号に基づき前記同期を確立する前には、前記Ａ／Ｄ変換工程に前記第１の分解能でＡ／Ｄ変換を行わせ、前記第１の信号に基づき前記同期を確立した後であって前記第２の信号から前記情報を取り出すことを開始した後には、前記Ａ／Ｄ変換工程に前記第２の分解能でＡ／Ｄ変換を行わせる制御工程と、を含むことを特徴とする無線受信方法。
【発明の詳細な説明】
【技術分野】
【０００１】
本発明は、符号分割多重接続（ＣＤＭＡ：Ｃｏｄｅ  Ｄｉｖｉｓｉｏｎ  Ｍｕｌｔｉｐｌｅ  Ａｃｃｅｓｓ）方式を用いたスペクトラム拡散通信により基地局から送信される信号を受信する携帯電話及び携帯端末のような移動局である無線受信装置及び無線受信方法に関する。
【背景技術】
【０００２】
上記した従来の移動局である無線受信装置は、基地局からパイロット信号及びシンク信号を受信する。パイロット信号及びシンク信号は、異なる拡散符号を用いたスペクトラム拡散により同一周波数帯上で重畳されている。パイロット信号は、基地局及び移動局間で同期を確立するために用いられ、他方で、シンク信号は、例えば、現時刻を示す時刻情報を含んでおり、当該時刻情報は、時刻合わせのために用いられる。
【０００３】
前記パイロット信号に基づき前記同期を確立するためには、当該パイロット信号を逆拡散する必要があり、同様に、前記シンク信号から前記時刻情報を抽出するには、当該パイロット信号を逆拡散する必要があり、加えて、当該逆拡散を行う前には、アナログ形式である前記パイロット信号及びシンク信号をデジタル形式に変換する、即ち、Ａ／Ｄ変換を行う必要がある。当該Ａ／Ｄ変換については、その消費電力は、Ａ／Ｄ変換の分解能が大きいほど多くなり、更に、当該Ａ／Ｄ変換の分解能は、Ａ／Ｄ変換の対象である入力信号のＳ／Ｎ比（信号対雑音比）が小さいほど大きい必要がある。
【０００４】
【特許文献１】特開２０００−３２１３８３号公報
【発明の開示】
【発明が解決しようとする課題】
【０００５】
しかしながら、上記した従来の無線受信装置では、前記パイロット信号の受信レベルが前記シンク信号の受信レベルより大きく、これにより、パイロット信号のＳ／Ｎ比（シンク信号に対するパイロット信号の比）が、シンク信号のＳ／Ｎ比（パイロット信号に対するシンク信号の比）より大きいにも拘わらず、前記パイロット信号に基づき前記同期を確立するときであるか、前記シンク信号に基づき時刻情報を抽出するときであるかとは無関係に、一律に、前記パイロット信号のＳ／Ｎ比から定まる分解能より大きい、前記シンク信号のＳ／Ｎ比から定まる分解能でＡ／Ｄ変換を行っていたことから、上記の特許文献１に記載された課題「低消費電力化」とは対照的に、前記パイロット信号に基づき前記同期を確立するときに、無駄な電力が消費されるという問題があった。
【課題を解決するための手段】
【０００６】
本発明に係る無線受信装置は、上記した課題を解決すべく、
符号拡散により重畳された、受信のための同期を確立するために用いる第１の信号、及び、受信すべき情報を含む第２の信号であって受信したときの信号レベルが前記第１の信号より小さい前記第２の信号を受信する無線受信装置であって、
前記第１の信号をＡ／Ｄ変換するときの第１の分解能、及び、前記第２の信号をＡ／Ｄ変換するときの、前記第１の分解能より分解能が大きい第２の分解能を切換可能なＡ／Ｄコンバータであって、当該第２の分解能でＡ／Ｄ変換を行うときの消費電力が前記第１の分解能でＡ／Ｄ変換を行うときの消費電力より大きい前記Ａ／Ｄコンバータと、
前記第１の信号に基づき前記同期を確立する前には、前記Ａ／Ｄコンバータに前記第１の分解能でＡ／Ｄ変換を行わせ、前記第１の信号に基づき前記同期を確立した後であって前記第２の信号から前記情報を取り出すことを開始した後には、前記Ａ／Ｄコンバータに前記第２の分解能でＡ／Ｄ変換を行わせる制御回路と、を含む。
【０００７】
また、本発明に係る無線受信方法は、上記した課題を解決すべく、
符号拡散により重畳された、受信のための同期を確立するために用いる第１の信号、及び、受信すべき情報を含む第２の信号であって受信したときの信号レベルが前記第１の信号より小さい前記第２の信号を受信する無線受信方法であって、
前記第１の信号をＡ／Ｄ変換するときの第１の分解能、及び、前記第２の信号をＡ／Ｄ変換するときの、前記第１の分解能より分解能が大きい第２の分解能を切換可能なＡ／Ｄ変換工程であって、当該第２の分解能でＡ／Ｄ変換を行うときの消費電力が前記第１の分解能でＡ／Ｄ変換を行うときの消費電力より大きい前記Ａ／Ｄ変換工程と、
前記第１の信号に基づき前記同期を確立する前には、前記Ａ／Ｄ変換工程に前記第１の分解能でＡ／Ｄ変換を行わせ、前記第１の信号に基づき前記同期を確立した後であって前記第２の信号から前記情報を取り出すことを開始した後には、前記Ａ／Ｄ変換工程に前記第２の分解能でＡ／Ｄ変換を行わせる制御工程と、を含む。
【０００８】
上記した本発明に係る無線受信装置及び無線受信方法によれば、前記第２の信号より信号レベルが大きい前記第１の信号に基づき前記同期を確立する前には、換言すれば、前記第２の信号のＳ／Ｎ比より大きいＳ／Ｎ比の前記第１の信号に基づき前記同期を確立するまでは、当該第１の信号を、前記第２の信号をＡ／Ｄ変換するときの第２の分解能より小さい第１の分解能でＡ／Ｄ変換することから、従来のような、当該同期を確立するまでであっても、前記第１の信号を、前記第２の分解能でＡ／Ｄ変換していたことに比して、当該同期を確立するまでの消費電力を低減することが可能となる。
【０００９】
上記した本発明に係る無線受信装置では、
前記Ａ／Ｄコンバータは、協働して前記Ａ／Ｄ変換を行うための並列接続された複数のオペアンプを有し、
前記制御回路は、前記Ａ／Ｄコンバータに前記第１の分解能でＡ／Ｄ変換を行わせることを、前記複数のオペアンプのうちの１つ以上のオペアンプを動作させないことにより実施する。
【００１０】
上記した本発明に係る無線受信装置では、
前記Ａ／Ｄコンバータは、協働して前記Ａ／Ｄ変換を行うための並列接続された複数のオペアンプと、前記複数のオペアンプからの出力を符号化するエンコーダとを有し、
前記制御回路は、前記Ａ／Ｄコンバータに前記第１の分解能でＡ／Ｄ変換を行わせることを、前記複数のオペアンプのうちの１つ以上のオペアンプに供給する電流を低減し、かつ、前記エンコーダに当該１つ以上のオペアンプからの出力を無視させることにより実施する。
【発明を実施するための最良の形態】
【００１１】
本発明に係る無線受信装置の実施例について図面を参照して説明する。
【００１２】
《構成》
図１は、実施例の無線受信装置の構成を示す。実施例の無線受信装置Ｒは、携帯電話、移動端末、時計のような移動局であり、基地局（図示せず。）から、スペクトラム拡散通信の下にＣＤＭＡ方式で送信される、即ち、ＰＮ（Ｐｓｅｕｄｏ  Ｎｏｉｓｅ）符号及びウオルシュ（Ｗａｌｓｈ）符号により拡散されたパイロット信号ＰＩ及びシンク信号ＳＹを受信すべく、図１に示されるように、アンテナ１と、増幅回路２と、ミキサ３と、局部発振回路４と、帯域濾波器（ＢＰＦ：Ｂａｎｄ  Ｐａｓｓ  Ｆｉｌｔｅｒ）５と、可変増幅回路６と、Ａ／Ｄコンバータ７と、逆拡散回路８と、ＰＮ符号生成回路９と、復号回路１０とを含む。
【００１３】
パイロット信号ＰＩ及びシンク信号ＳＹは、図１に示されるように、それぞれ、異なるＰＮ符号及びウオルシュ符号による拡散によって同一の周波数帯上に重畳されており、より詳しくは、パイロット信号ＰＩは、パイロット信号ＰＩのためのＰＮ符号及びウオルシュ符号として機能するパイロット信号用ＰＮ符号ＰＮ（ＰＩ）により拡散されており、他方で、シンク信号ＳＹは、シンク信号ＳＹのためのＰＮ符号及びウオルシュ符号として機能するシンク信号用ＰＮ符号ＰＮ（ＳＹ）により拡散されている。
【００１４】
加えて、受信したパイロット信号ＰＩの信号レベル（信号強度）は、受信したシンク信号ＳＹの信号レベルより大きく、図１に示されるように、例えば、パイロット信号ＰＩの信号レベルは、１０ｄＢであり、他方で、シンク信号ＳＹの信号レベルは、０ｄＢである。従って、同一の周波数帯上に重畳されているパイロット信号ＰＩ及びシンク信号ＳＹ間のＳ／Ｎ比については、シンク信号ＳＹ（雑音に相当。）に対するパイロット信号ＰＩ（信号に相当。）の比である、パイロット信号ＰＩのＳ／Ｎ比は、パイロット信号ＰＩ（雑音に相当。）に対するシンク信号ＳＹ（信号に相当。）の比である、シンク信号ＳＹのＳ／Ｎ比より大きい。他方で、Ａ／Ｄコンバータ７でのＡ／Ｄ変換の分解能は、Ａ／Ｄ変換の対象である信号のＳ／Ｎ比が大きいほど小さくて足りることから、Ａ／Ｄコンバータ７では、パイロット信号ＰＩにＡ／Ｄ変換を施すときの分解能は、シンク信号ＳＹにＡ／Ｄ変換を施すときの分解能より小さくて足りる。
【００１５】
図１で、アンテナ１は、例えば、逆Ｆアンテナであり、基地局から送信されるパイロット信号ＰＩ及びシンク信号ＳＹを受信する。
【００１６】
増幅回路２は、アンテナ１の後段に設けられており、例えば、電界効果トランジスタ（ＦＥＴ）からなり、アンテナ１により受信されたパイロット信号ＰＩ及びシンク信号ＳＹを、予め定められた利得（固定された利得）で増幅する。
【００１７】
ミキサ３は、増幅回路２の後段に設けられており、例えば、ダイオード及びトランジスタからなり、当該増幅回路２から、増幅されたパイロット信号ＰＩ及びシンク信号ＳＹの入力を受け、かつ、局部発振回路４から、当該局部発振回路４が生成する局部発振信号ＬＯの入力を受け、パイロット信号ＰＩ及びシンク信号ＳＹと局部発振信号ＬＯとの乗算によりパイロット信号ＰＩ及びシンク信号ＳＹをＲＦ（Ｒａｄｉｏ  Ｆｒｅｑｕｅｎｃｙ）帯からベースバンド帯へ周波数変換し、即ち、ダウンコンバートする。
【００１８】
局部発振回路４は、例えば、ＰＬＬ回路からなり、上記した局部発振信号ＬＯを生成し、当該局部発振信号ＬＯをミキサ３へ出力する。
【００１９】
帯域濾波器５は、ミキサ３の後段に設けられており、例えば、オペアンプ等を用いたアクティブフィルタであり、当該帯域濾波器５の通過帯域内にある、ベースバンド帯のパイロット信号ＰＩ及びシンク信号ＳＹを通過させ、当該通過帯域外にある雑音を通過させず、即ち、遮断する。
【００２０】
可変増幅回路６は、帯域濾波器５の後段に設けられており、上記した増幅回路２と同様に、電界効果トランジスタ等からなり、アンテナ１がパイロット信号ＰＩ及びシンク信号ＳＹを受信したときの当該パイロット信号ＰＩ及びシンク信号ＳＹの受信レベルに左右されることなく、当該パイロット信号ＰＩ及びシンク信号ＳＹを、後段のＡ／Ｄコンバータ７の仕様により規定される一定のレベルになるように調整すべく、負帰還（図示せず。）の下に規定される利得で、当該可変増幅回路６に入力された前記パイロット信号ＰＩ及びシンク信号ＳＹを増幅する。
【００２１】
Ａ／Ｄコンバータ７は、可変増幅回路６の後段に設けられており、可変増幅回路６から出力されるパイロット信号ＰＩ及びシンク信号ＳＹをアナログ形式からデジタル形式に変換すべく、図２に示されるように、８個の抵抗器Ｒ１〜Ｒ８と、８個のオペアンプＣ１〜Ｃ８と、エンコーダＥとを有する。抵抗器Ｒ１〜Ｒ８は、基準電圧Ｖｒｅｆ（例えば、３Ｖ、５Ｖ）及び接地電位ＧＮＤに直列接続されており、比較器として機能するオペアンプＣ１〜Ｃ８の比較基準電圧Ｖｃ１〜Ｖｃ８を規定し、当該比較基準電圧Ｖｃ１〜Ｖｃ８は、オペアンプＣ１〜Ｃ８の一方の入力端子（＋端子）に印加されている。
【００２２】
オペアンプＣ１〜Ｃ８は、それぞれ、他方の入力端子（−端子）に、Ａ／Ｄコンバータ７から、アナログ形式のパイロット信号ＰＩ及びシンク信号ＳＹの入力を受け、基本的に、当該パイロット信号ＰＩ及びシンク信号ＳＹと、前記一方の端子（＋端子）に印加されている比較基準電圧Ｖｃ１〜Ｖｃ８とを比較し、前記パイロット信号ＰＩ及びシンク信号ＳＹが、当該比較基準電圧Ｖｃ１〜Ｖｃ８より小さいときには「０」を出力し、反対に、大きいときには「１」を出力し、エンコーダＥは、オペアンプＣ１〜Ｃ８からの出力を符号化する。例えば、入力されたパイロット信号ＰＩが、比較基準電圧Ｖｃ６より大きく比較基準電圧Ｖｃ５より小さいとき、オペアンプＣ１〜Ｃ５は、「０」を出力し、オペアンプＣ６〜Ｃ８は、「１」を出力し、その結果として、エンコーダＥは、「０００００１１１」に対応する「３」を出力する。
【００２３】
上記した基本的な動作とは対照的に、オペアンプＣ１〜Ｃ８のうちオペアンプＣ２、Ｃ４、Ｃ６、Ｃ８は、逆拡散回路８から、Ａ／Ｄコンバータ７全体としての分解能を「２ビット」（アナログ値を４段階のデジタル値に変換。）にするか、「３ビット」（アナログ値を８段階のデジタル値に変換。）にするかを規定する、換言すれば、分解能を切り換えるための分解能切換信号ＲＥの入力を受け、当該分解能切換信号ＲＥが「２ビット」の旨を示すときには、「Ａ／Ｄ変換の停止」として、上記した比較動作を行わず、他方で、「３ビット」の旨を示すときには、「Ａ／Ｄ変換の実施」として、上記した比較動作を行う。
【００２４】
「Ａ／Ｄ変換の停止」について例示すると、例えば、上記したと同様に、入力されたパイロット信号ＰＩが、比較基準電圧Ｖｃ６より大きく比較基準電圧Ｖｃ５より小さいとき、オペアンプＣ１、Ｃ３、Ｃ５は、「０」を出力し、オペアンプＣ２、Ｃ４は、何ら出力せず（ハイインピーダンスの状態になり）、オペアンプＣ７は、「１」を出力し、オペアンプＣ６、Ｃ８は、オペアンプＣ２、Ｃ４と同様に、何ら出力せず、この結果、エンコーダＥは、上記した「０００００１１１」に対応する「３」に代えて、「００００００１０」に対応する「２」を出力する。
【００２５】
上記した「Ａ／Ｄ変換の停止」の動作の例と異なり、例えば、上記したと同様に、入力されたパイロット信号ＰＩが、比較基準電圧Ｖｃ６より大きく比較基準電圧Ｖｃ５より小さいとき、オペアンプＣ１、Ｃ３、Ｃ５は、上記と同様に、「０」を出力し、オペアンプＣ２、Ｃ４は、上記と異なり、当該オペアンプＣ２、Ｃ４の消費電力が、前記分解能切換信号ＲＥにより抑制（低減）されていることに起因して「不定」を出力し、オペアンプＣ７は、上記と同様に、「１」を出力し、オペアンプＣ６、Ｃ８は、オペアンプＣ２、Ｃ４と同様に、「不定」を出力し、更に、エンコーダＥは、分解能切換信号ＲＥにより「２ビット」の旨を受けていることに応答して、オペアンプＣ２、Ｃ４、Ｃ６、Ｃ８からの出力を無視することにより、エンコーダＥは、結果的に、「００００００１０」に対応する「２」を出力する。
【００２６】
図１に戻り、『制御回路』として機能する逆拡散回路８は、Ａ／Ｄコンバータ７の後段に設けられており、初期時（受信動作を開始する前）には、Ａ／Ｄコンバータ７に、「２ビット」の旨を示す分解能切換信号ＲＥを出力する。他方で、逆拡散の結果として同期が確立されたとき、より正確には、Ａ／Ｄコンバータ７から出力されるパイロット信号ＰＩ及びシンク信号ＳＹをＰＮ符号生成回路９により生成される、パイロット信号用ＰＮ符号ＰＮ（ＰＩ）又はシンク信号用ＰＮ符号ＰＮ（ＳＹ）を用いて逆拡散し、その結果として、パイロット信号ＰＩとパイロット信号用ＰＮ符号ＰＮ（ＰＩ）との間で相関、即ち、同期が取れたとき、Ａ／Ｄコンバータ７に、「２ビット」の旨を示す分解能切換信号ＲＥに代えて、「３ビット」の旨を示す分解能切換信号ＲＥを出力する。
【００２７】
ＰＮ符号生成回路９は、例えば、スライディング相関器又はマッチドフィルタであり、パイロット信号用ＰＮ符号ＰＮ（ＰＩ）及びシンク信号用ＰＮ符号ＰＮ（ＳＹ）を生成し、当該生成された両ＰＮ符号ＰＮ（ＰＩ）、ＰＮ（ＳＹ）を逆拡散回路８に出力する。
【００２８】
復号回路１０は、逆拡散回路８の後段に設けられており、逆拡散回路８から入力を受ける、逆拡散後のパイロット信号ＰＩ及びシンク信号ＳＹを復号する。
【００２９】
《動作》
図３は、実施例の無線受信装置の動作を示すフローチャートであり、図４は、実施例の無線受信装置の動作を示すタイムチャートである。以下、実施例の無線受信装置の動作について、図３のフローチャート及び図４のタイムチャートを参照して説明する。当該説明では、上記したように、無線受信装置Ｒが、初期時に、逆拡散回路８から「２ビット」の旨を示す分解能切換信号ＲＥが出力されており、この結果、Ａ／Ｄコンバータ７内のオペアンプＣ１〜Ｃ８のうち、Ｃ２、Ｃ４、Ｃ６、Ｃ８が「Ａ／Ｄ変換の停止」になっていることを想定する。
【００３０】
ステップＳ１：図４に図示の時刻ｔ１で、アンテナ１が、図１に示されるように、基地局から、スペクトラム拡散されたパイロット信号ＰＩ及びシンク信号ＳＹを受信すると、増幅回路２は、当該両信号ＰＩ、ＳＹを増幅し、ミキサ３は、当該増幅された両信号ＰＩ、ＳＹを、局部発振回路４が生成する局部発振信号ＬＯを使ってダウンコンバートし、帯域濾波器５は、当該ダウンコンバート後の両信号ＰＩ、ＳＹを濾波し、可変増幅回路６は、当該濾波された両信号ＰＩ、ＳＹを可変的に増幅する。
【００３１】
ステップＳ２：Ａ／Ｄコンバータ７は、前記可変増幅回路６により増幅されたパイロット信号ＰＩ及びシンク信号ＳＹを、前記分解能切換信号ＲＥにより指定された「２ビット」で、即ち、オペアンプＣ１、Ｃ３、Ｃ５、Ｃ７のみが「Ａ／Ｄ変換の実施」となっており、オペアンプＣ２、Ｃ４、Ｃ６、Ｃ８が「Ａ／Ｄ変換の停止」となっている条件下で、Ａ／Ｄ変換する。
【００３２】
ステップＳ３：逆拡散回路８は、基地局との間での同期を確立すべく、前記Ａ／Ｄ変換されたパイロット信号ＰＩ及びシンク信号ＳＹと、ＰＮ符号生成回路９により生成されたパイロット信号用ＰＮ符号ＰＮ（ＰＩ）との乗算、即ち、逆拡散を行う。
【００３３】
ステップＳ４：逆拡散回路８は、ステップＳ３での乗算の結果から、即ち、パイロット信号ＰＩ及びパイロット信号用ＰＮ符号ＰＮ（ＰＩ）間の相関関係から、基地局との間で同期を確立することができたと判断される、図４に図示の時刻ｔ２になると、ＰＮ符号生成回路９に、シンク信号用ＰＮ符号ＰＮ（ＳＹ）の生成を開始するように指示すると共に、Ａ／Ｄコンバータ７に、「３ビット」の旨を示す、即ち、分解能を「２ビット」から「３ビット」に切り換えるべき旨を示す分解能切換信号ＲＥを出力する。
【００３４】
ステップＳ５：Ａ／Ｄコンバータ７では、逆拡散回路８から、「３ビット」の旨を示す分解能切換信号ＲＥを受けると、Ａ／Ｄコンバータ７内のオペアンプＣ１〜Ｃ８のうちオペアンプＣ２、Ｃ４、Ｃ６、Ｃ８が、「Ａ／Ｄ変換の停止」から「Ａ／Ｄ変換の実施」に切り換わる。これにより、オペアンプＣ１〜Ｃ８の全てが、「Ａ／Ｄ変換の実施」となる。
【００３５】
ステップＳ６：Ａ／Ｄコンバータ７は、ステップＳ１と同様にして得られた、可変増幅された後のパイロット信号ＰＩ及びシンク信号ＳＹを、「３ビット」で、即ち、オペアンプＣ１〜Ｃ８の全てが「Ａ／Ｄ変換の実施」となっている条件下で、Ａ／Ｄ変換を施す。
【００３６】
ステップＳ７：逆拡散回路８は、シンク信号ＳＹに含まれる時刻情報を抽出すべく、前記パイロット信号ＰＩ及びシンク信号ＳＹと、ＰＮ符号生成回路９により生成されるシンク信号用ＰＮ符号ＰＮ（ＳＹ）との乗算を行う。
【００３７】
《効果》
上述したように、実施例の無線受信装置Ｒでは、図４に図示された時刻ｔ１から時刻ｔ２までである、シンク信号ＳＹの信号強度が大きいパイロット信号ＰＩに基づき基地局及び無線受信装置Ｒ間の同期を確立するまでの期間、当該パイロット信号ＰＩを、前記シンク信号ＳＹをＡ／Ｄ変換するときの分解能である「３ビット」より小さい「２ビット」でＡ／Ｄ変換することにより、当該同期が確立するまでの期間には、オペアンプＣ２、Ｃ４、Ｃ６、Ｃ８が電力を消費しないことから、従来のような、当該同期を確立するまでの期間、前記パイロット信号ＰＩを「３ビット」でＡ／Ｄ変換することに比較して、消費電力を低減することが可能となる。
【図面の簡単な説明】
【００３８】
【図１】実施例の無線受信装置の構成を示す図。
【図２】実施例のＡ／Ｄコンバータの構成を示す図。
【図３】実施例の無線受信装置の動作を示すフローチャート。
【図４】実施例の無線受信装置の動作を示すタイムチャート。
【符号の説明】
【００３９】
Ｒ…無線受信装置、７…Ａ／Ｄコンバータ、８…逆拡散回路、ＲＥ…分解能切換信号。
【図１】
2008177639.tif 000003
【図２】
2008177639.tif 000004
【図３】
2008177639.tif 000005
【図４】
2008177639.tif 000006